(57)【要約】【課題】比較的重い中実な頭部であっても人形の首部に確実かつ解除可能に連結する人形の頭部と首部との連結部材を提供する。【解決手段】人形の首部２と頭部１とを連結保持する連結部材３であって、弾性材にて上下端を開放した全体略筒状に形成され、筒内方に向けて突出し、首部の外周に連結される首連結部３ｂと、頭部に備えた連結穴４に弾性により連結保持可能な頭連結部３ａとを含み、頭連結部は、筒長さ方向で下端側の外周にて外径方向に突出し頭部の内面に係止されて嵌合する第１嵌合部３６と、第１嵌合部よりも筒先端方向の外周にて外径方向に突出し前記第１嵌合部が嵌合する位置よりも頭部内方の内面に係止して嵌合する第２嵌合部３８と、筒先端に備えられ、第２嵌合部が嵌合する位置よりも頭部内方の内面に弾性により押圧して係止する突出端部３９と、を備える。【選択図】図１
2018047141.tif 000002
【特許請求の範囲】
【請求項１】
人形の胴部から突出する首部と、人形の頭部と、を連結保持する連結部材であって、
弾性材にて、上下端を開放した全体略筒状に形成され、筒内方に向けて突出し、前記首部の外周に連結される首連結部と、人形の頭部に備えた連結穴に弾性により連結保持可能な頭連結部と、を含み、
少なくとも、前記頭連結部は、
筒長さ方向で下端側の外周にて外径方向に突出し、前記頭部の内面に係止されて嵌合する第１嵌合部と、
前記第１嵌合部よりも筒先端方向の外周にて外径方向に突出し、前記第１嵌合部が嵌合する位置よりも頭部内方の内面に係止して嵌合する第２嵌合部と、
筒先端に備えられ、前記第２嵌合部が嵌合する位置よりも頭部内方の内面に弾性により押圧して係止する突出端部と、を備えて構成されていることを特徴とする人形の頭部と首部との連結部材。
【請求項２】
前記人形の首部は、
基部と、前記基部と同軸に形成される先端部と、前記基部と先端部との間を接続し、前記基部と同軸かつ基部および先端部よりも小径に形成される小径部と、を備えて構成されており、
前記人形の頭部の連結穴は、穴開放口の近傍に設けられ、前記頭連結部の第１嵌合部が弾性により係止可能な第１の凹部と、
前記第１の凹部よりも穴内方に設けられ、前記頭連結部の第２嵌合部が弾性により係止可能な第２の凹部と、
前記第２の凹部よりも穴内方で、前記頭連結部の突出端部を弾性変形させて押圧可能な圧接壁部と、を備えて構成されており、
前記首連結部は、前記小径部よりも小径で、前記小径部に対して弾性により係止可能な環状の係止突片を有し、
前記第１の嵌合部は、前記第１の凹部内に弾性により嵌合可能な大径の円環状に形成された係止突条を有し、
前記第２の嵌合部は、前記第１の嵌合部よりも筒先端方向で、前記第２の凹部内に弾性により嵌合可能な水平方向に突設されたフランジ部を有し、
前記第１の嵌合部と前記第２の嵌合部との間には、前記第１の嵌合部から連続して徐々に小径に形成された円すい面部と、前記円すい面部から連続して形成され、前記第２の嵌合部に連結された円筒面部とを有し、
前記突出端部は、前記第２の嵌合部のフランジ部から連続して徐々に小径に形成された第２の円すい面部の先端にて円筒状に突設されていることを特徴とする請求項１に記載の人形の頭部と首部との連結部材。
【発明の詳細な説明】
【技術分野】
【０００１】
本発明は、人形の頭部に対して首部を解除可能に連結固定する構造に関する。
【０００２】
また、本明細書において、「人形」とは、胴体と脚部と腕部と頭部を備えた人形全般に限らず、頭部が着脱可能な所謂人形用素体といわれるものをも含む概念とする。また、手足、腰などの所要箇所が可動可能に構成される所謂可動人形や、手足、腰などが動かない人形の全てが対象とされる。すなわち、一般に人形と称される範疇のものの全てを対象とし、例えば人間の男性・女性を模写した人形に限らず、動物や空想上の生物若しくはロボットなどを模写した人形であってもよい。
また、人形を構成する材質にあっては、硬質であっても軟質であっても良く、本発明の範囲内で設計変更可能である。
【背景技術】
【０００３】
昨今の人形業界において、特にフィギュアと称される人間の身体（裸体）形態を忠実に模写した構成を有する人形が需要者に人気を得ている。
このフィギュアなる人形は、一般に女児等が手に持って遊んだり、単に着せ替えをして遊んだりすることもあるが、昨今フィギュアの需要者層も変化してきており、特に成人男性などの需要者も多くなってきていることからも、その遊び方が変わってきている。
例えば、人形として完成した状態のものを購入する場合もあるが、人形の各パーツ、例えば頭部・脚部・腕部・胴部などを夫々個別に購入し、あるいは完成状態の人形の各パーツを別途他の別売りパーツに交換し、自分の好みの形態の人形に仕上げていく需要者も多い。
【０００４】
特に頭部は、顔表情や髪型も多種多様で、人形の容姿の雰囲気を決定付ける重要な構成要素である。このため、頭部・脚部・腕部・胴部などの主要構成パーツを当初から備えている完成状態の人形であっても、需要者が人形購入後、別途自分の好みに合った頭部を加えて購入し、頭部を交換することで、その顔表情や髪型を変えて好みの容姿を備えた人形を完成させている場合も多い。
また、このような頭部として、従来から軟質樹脂を成型加工した中空の頭部が一般的に利用されていた。
【０００５】
このような、中空の頭部を人形の首部に連結する構造としては、例えば、特許文献１には、中空の頭部の首部連結孔に人形の首部の係止部を挿し込んで、前記首部連結孔の周縁を頭部の内と外で挟持して固定する連結部材が開示されている。
【先行技術文献】
【特許文献】
【０００６】
【特許文献１】特開２００７−２３０号公報
【発明の概要】
【発明が解決しようとする課題】
【０００７】
ところで、昨今の技術進歩により、３Ｄプリンタなどにより硬質樹脂による中実な頭部を比較的容易に製作することが可能となり、これにより需要者の多彩な要望に応じた頭部を短期間で供給することができるようになった。
しかし、このような中実な頭部は、従来の中空の頭部に比べて重くなってしまうため、従来の人形の首部と頭部の連結構造では、頭部が抜け落ちたり所望の角度で維持固定できなかったりする場合も生じていた。
本発明の目的は、比較的重い中実な頭部であっても人形の首部に確実かつ解除可能に連結可能な人形の頭部と首部との連結部材を提供することである。
【課題を解決するための手段】
【０００８】
上記課題を達成するために、本発明が成した技術的手段は、人形の胴部から突出する首部と、人形の頭部と、を連結保持する連結部材であって、弾性材にて、上下端を開放した全体略筒状に形成され、筒内方に向けて突出し、前記首部の外周に連結される首連結部と、人形の頭部に備えた連結穴に弾性により連結保持可能な頭連結部と、を含み、少なくとも、前記頭連結部は、筒長さ方向で下端側の外周にて外径方向に突出し、前記頭部の内面に係止されて嵌合する第１嵌合部と、前記第１嵌合部よりも筒先端方向の外周にて外径方向に突出し、前記第１嵌合部が嵌合する位置よりも頭部内方の内面に係止して嵌合する第２嵌合部と、筒先端に備えられ、前記第２嵌合部が嵌合する位置よりも頭部内方の内面に弾性により押圧して係止する突出端部と、を備えて構成されていることを特徴とする人形の頭部と首部との連結部材としたことである。
【０００９】
また、前記人形の首部は、基部と、前記基部と同軸に形成される先端部と、前記基部と先端部との間を接続し、前記基部と同軸かつ基部および先端部よりも小径に形成される小径部と、を備えて構成されており、
前記人形の頭部の連結穴は、穴開放口の近傍に設けられ、前記頭連結部の第１嵌合部が弾性により係止可能な第１の凹部と、前記第１の凹部よりも穴内方に設けられ、前記頭連結部の第２嵌合部が弾性により係止可能な第２の凹部と、前記第２の凹部よりも穴内方で、前記頭連結部の突出端部を弾性変形させて押圧可能な圧接壁部と、を備えて構成されており、
さらに、前記首連結部は、前記小径部よりも小径で、前記小径部に対して弾性により係止可能な環状の係止突片を有し、前記第１の嵌合部は、前記第１の凹部内に弾性により嵌合可能な大径の円環状に形成された係止突条を有し、前記第２の嵌合部は、前記第１の嵌合部よりも筒先端方向で、前記第２の凹部内に弾性により嵌合可能な水平方向に突設されたフランジ部を有し、前記第１の嵌合部と前記第２の嵌合部との間には、前記第１の嵌合部から連続して徐々に小径に形成された円すい面部と、前記円すい面部から連続して形成され、前記第２の嵌合部に連結された円筒面部とを有し、前記突出端部は、前記第２の嵌合部のフランジ部から連続して徐々に小径に形成された第２の円すい面部の先端にて円筒状に突設されている場合もある。
【発明の効果】
【００１０】
本発明によれば、比較的重い中実な頭部であっても人形の首部に確実かつ解除可能に連結可能な人形の頭部と首部との連結部材を提供することができる。
【図面の簡単な説明】
【００１１】
【図１】本発明による人形の頭部と首部との連結部材の連結状態を示す断面説明図である。
【図２】連結部材の連結解除状態を示す断面説明図である。
【図３】成形された連結部材を示す側面図である。
【図４】スラッシュモールド成形による連結部材の説明図である。
【図５】連結部材の斜視図である。
【図６】本発明の変形例による人形の頭部と首部との連結部材の連結状態を示す断面説明図である。
【図７】本発明の変形例による人形の頭部と首部との連結部材の連結解除状態を示す断面説明図である。
【発明を実施するための形態】
【００１２】
以下、本発明の一実施の形態に係る人形の頭部と首部との連結部材について、添付図面に基づいて説明する。また、本実施形態は本発明の一実施形態にすぎず、何等これらに限定して解釈されるものではなく、本発明の範囲内で設計可能である。
【００１３】
図中、符号３は連結部材、符号１は頭部、符号２は首部をそれぞれ示す。
図１乃至図５は、本発明による連結部材３の第一実施形態を示し、図６及び図７は本発明による連結部材３の第二実施形態を示し、それぞれの連結部材３は、頭部１の連結穴４に首部２が挿し込まれた状態において、頭部１と首部２との間に介在して、頭部１と首部２を係止することで連結固定状態とするものである。
なお、本実施形態では、首部２よりも下方の胴体部分（胸部・腹部・腰部と共に、腕部・手部、及び脚部・足部などを含む）は特に限定解釈されないため図示を省略しているが、人形の芯材部分として機能する各骨格部分（図示省略）と、人形の各骨格部分を覆うようにして配設される人形の外皮部分とを備えている人形を想定している。
また、骨格部分としては、各関節領域で自由に可動し得る構造を少なくとも備えた、いわゆる可動骨格を想定している。
すなわち、本発明の要部である頭部１と首部２との連結構造以外の人形の構成にあっては特に本実施形態に限定解釈されるものではなく、首部よりも下方の胴体部分が骨格構造を有しているものであっても有していないものであっても本発明の範囲内であり、また、骨格構造も関節領域で可動し得るものであっても可動し得ないものであっても本発明の範囲内であり、また、骨格構造を有するものである場合、骨格部分と外皮部分とが分離可能なものであっても分離不可能なものであっても本発明の範囲内である。
また、本実施形態の外皮は硬質の合成樹脂材で成形されているものを想定しているが、軟質の合成樹脂材で成形されているものであってもよい。
【００１４】
「第一実施形態」
（首部の構成）
首部２は、人形の骨格（図示せず）を覆う外皮のうち、胴部外皮の上端から一体に突出する首部外皮を基部２ａとし、この基部２ａと、硬質の合成樹脂部材で成形され、先端側（図中上側）に配される先端部２ｂと、硬質の合成樹脂部材で成形され、基部２ａと先端部２ｂとの間に配される小径部２ｃとからなる。
【００１５】
基部２ａは、胴部外皮の上端に位置する基端側（図中下側）２１ａから、鉛直方向で上方に位置する先端側２１ｂ（図中上側）まで同径に形成される。
基部２ａの径については、基端側２１ａは、人形の首の外径サイズの需要に応じて適宜設定されれば良く、また、先端側２１ｂは、頭部１の連結穴４に挿し込まれるため、頭部１の連結穴４に合わせて設定されていれば良い。
すなわち、本実施形態では、人形の胸部骨格に連結する基端側２１ａから先端側２１ｂまで同径の円柱状に形成したが、基部２ａの基端側２１ａから先端側２１ｂの間で径が変化していても良く、例えば、先細り形状や先太り形状などが採用されていても良い。
なお、本実施形態では、基部２ａの先端側２１ｂの先端部側端面２１ｃには、小径部２ｃを通す挿通穴（図示せず）が設けられている。
【００１６】
先端部２ｂは、首部２の先端側（図中上側）にて、前記基部２ａと同軸に配される砲弾形状の部材であって、所定径の円柱状に形成される胴部２２ａと、胴部２２ａの先端側に一体成形される先細り部２２ｂとで構成されている。
【００１７】
先端部２ｂの胴部２２ａは、前記基部２ａよりも小径の円柱状に形成され、胴部２２ａの基部２ａ側の端面（基部側端面）２２ｄは、前記基部２ａの先端部２ｂ側の端面（先端部側端面）２１ｃと所定の間隔をもって対向して配されている。
先端部２ｂの先細り部２２ｂは、胴部２２ａの先端側から一体に延出するとともに、前記胴部２２ａから先端部２ｂの先端２２ｃに向けて徐々に小径となる、所謂先細り形状に形成されている。また、先端２２ｃは軸（仮想軸線Ｘ１）に対して直交した平面に形成されている。
なお、先端部２ｂが形成される長さについては、後述する頭部１の連結穴４の深さに応じて設定されれば良いので、ここでは特に限定しない。
【００１８】
小径部２ｃは、前記基部２ａと先端部２ｂとの間に配される部材である。
具体的には、先端部２ｂに対向する基部２ａの先端部側端面２１ｃと、基部２ａに対向する先端部２ｂの基部側端面２２ｄとの間隔と同じ長さを有する円柱状に形成され、その径は、先端部２ｂの胴部２２ａおよび基部２ａよりも小径に設定されている。すなわち、小径部２ｃは、先端部側端面２１ｃと基部側端面２２ｄから段差を有して小径となるように形成されている。
本実施形態では、小径部２ｃは前記先端部２ｂと一体に形成されている。なお、小径部２ｃと先端部２ｂが夫々別体に成形され、ネジなどの固定手段によって一体に固定されているものであっても良い。
また、小径部２ｃの基部２ａ側には、人形の胸部骨格（図示せず）に連結する延出部２３ａが一体に連続して形成されている（図中破線部参照）。その延出部２３ａは、基部２ａの挿通穴に挿通され、胸部骨格に所定の固定手段で着脱可能に固定さている。なお、前記固定手段としては、人形のポーズを変えたり展示したりする際に容易に外れない程度に固定されていれば良く、例えば、胸部骨格に設けられた穴部に小径部２ｃが嵌合する構成などが本発明の範囲内で設計変更可能である。
【００１９】
（連結部材の構成）
連結部材３は、軟質の樹脂部材で、図２中で矢印Ｌの方向に長い筒状体に成形されており、後述する頭部１の連結穴４の内壁に係止されて嵌合する頭連結部３ａと、首部２の小径部２ｃと先端部２ｂの基部側端面２２ｄおよび基部２ａの先端部側端面２１ｃとに当接して、連結部材３を首部２に連結固定する首連結部３ｂとで構成されている。
【００２０】
首連結部３ｂは、下端側に配された円板部３５と、その円板部３５の内周側３５ｂから連続して成形された係止突片３１ａと、その係止突片３１ａに成形された穴部３１ｃと、前記首部２の先端部２ｂの外径形状に沿った形状に成形される内周面とで構成されている。
【００２１】
円板部３５は、基部２ａの先端部側端面２１ｃ上を覆う程度の内径を有し、図２中矢印Ｌの方向に所定肉厚のドーナツ状に形成されており、基部２ａの先端部側端面２１ｃに嵌合する嵌合内縁部３５ｃが、外周側３５ａにて下方に突出した環状に設けられている。
本実施形態における円板部３５は、基部２ａの先端部側端面２１ｃに沿って、先端部側端面２１ｃの周縁２１ｄから半径の約１/２までにかけてドーナツ状に成形されている。
【００２２】
係止突片３１ａは、前記円板部３５の内周側３５ｂから、先端部２ｂの基部側端面２２ｄに向けて、連続して徐々に小径（先細り）となる円錐形状の環状に成形されている。
また、係止突片３１ａの高さ（図２中矢印Ｌの方向の高さ）は、前記小径部２ｃの長さ（基部２ａの先端部側端面２１ｃと先端部２ｂの基部側端面２２ｄとの間の距離）よりも僅かに高く設定されている。
【００２３】
穴部３１ｃは、係止突片３１ａの延出端３１ｂにて、小径部２ｃの外径よりも僅かに小径の穴径となるように成形されている。
【００２４】
首連結部３ｂの内周面は、首部２の外径面、即ち、基部２ａの先端部側端面２１ｃから先端部２ｂの胴部２２ａの外径面２２ｅおよび、先端部２ｂの先細り部２２ｂの外径面２２ｆに沿って配されている。
【００２５】
首連結部３ｂは、係止突片３１ａにより、基部２ａと先端部２ｂの間に位置決めされ、筒状の内周面によって、先端部２ｂに位置決めされ、これにより、所定位置に位置決めされる。
【００２６】
頭連結部３ａは、後述する頭部１の連結穴４の内壁に係止されて嵌合する、第１嵌合部３６と第２嵌合部３８と突出端部３９とを備えている。
【００２７】
第１嵌合部３６は、前記円板部３５の外周側３５ａから外径方向に連続して突出し、首部２の軸（仮想軸線Ｘ１）に対して直交するように成形された基部２ａ側の壁面３６ａと、同様に首部２の軸（仮想軸線Ｘ１）に対して直交するように成形された先端部２ｂ側の壁面３６ｂと、首部２の軸（仮想軸線Ｘ１）に対して平行に成形された外径面３６ｃとで、周方向に連続した大径の円環状に成形された係止突条３６ｄを備えている。
【００２８】
係止突条３６ｄは、円板部３５の厚みよりも、基部２ａの周面に沿って人形の肩部の方向に肉厚（図２にて下方向に肉厚）となるように成形されている。なお、この係止突条３６ｄの内面（基部２ａ寄りの面部）が、前記首連結部３ｂを構成する嵌合内周縁３５ｃとして機能している。
また、前記円板部３５の外周側３５ａから、先端部２ｂの胴部２２ａの外径面２２ｅに向けて（図２で上側の先端部２ｂ方向に向けて）、徐々に小径に成形（先細り形状）された円すい面部５０が一体に連続して形成されている。円すい面部５０は円板部３５と約同厚に形成されている。
また、円すい面部５０の小径端（図２で上側の端部）と一体に連続し、先端部２ｂの胴部２２ａに沿って、円板部３５と約同厚の円筒面部３７が形成されている。
【００２９】
第２嵌合部３８は、前記円筒面部３７の先端側３７ａから連続して外径方向に突出し、かつ周方向に連続して形成されている。
具体的には、第２嵌合部３８は、円筒面部３７の先端側３７ａから連続して一体に形成され、首部２の軸（仮想軸線Ｘ１）に対して直角に（直交するように）突出形成された環状の水平壁面３８ａと、水平壁面３８ａの外径側端部から先端方向（図１にて上方向）に向けて徐々に小径となる円錐状に形成された外径面部３８ｂ（第２嵌合部３８の外径）とで水平方向に突出するフランジ部３８ｆを構成している。
そして、本実施形態では、第２嵌合部３８の外径面部３８ｂから連続して一体に形成され、さらに先端方向（図１にて上方向）に向けて徐々に小径となる円錐状の第２の円すい面部３８ｃを備えている。
第２嵌合部３８及び第２の円すい面部３８ｃは、前記円筒面部３７の厚さと約同厚に形成され、第２嵌合部３８は、前記第１嵌合部３６とほぼ同様の突出量（水平壁面３８ａの径方向長さ）で突出している。
【００３０】
突出端部３９は、前記第２の円すい面部３８ｃの先端（頭連結部３ａの筒先端）３８ｄから連続して一体に形成され、首部２の軸（仮想軸線Ｘ１）と平行に延出した円筒状に備えられている。
この突出端部３９は、先細り部２２ｂが先端２２ｃにかけて徐々に小径となる円錐状に形成されているのに対して、首部２の軸（仮想軸線Ｘ１）と平行に形成された筒状であるため、この突出端部３９が、第２の円すい面部３８ｃの先端３８ｄよりも、見かけ上、外方に向けて突出した突出部３９ａを成している。
【００３１】
（首部への連結部材の取り付け）
首部２の基部２ａの先端部側端面２１ｃと、先端部２ｂの基部側端面２２ｄとの間に連結部材３をセットする場合には、まず、首部２の基部２ａと小径部２ｃが分離した状態（先端部２ｂと小径部２ｃだけの状態）において、首部２の小径部２ｃを連結部材３の首連結部３ｂの係止突片３１ａの穴部３１ｃに通し、その後に、小径部２ｃの延出部２３ａを基部２ａの挿通穴に通して首部２を組み立てれば良い。
【００３２】
この場合、連結部材３の係止突片３１ａの延出端３１ｂが、首部２の小径部２ｃと先端部２ｂの基部側端面２２ｄとに当接しており、連結部材３の係止突片３１ａと連続しているドーナツ状の円板部３５が、首部２の基部２ａの先端部側端面２１ｃに当接している。
【００３３】
さらに、連結部材３の係止突片３１ａが、首部２の小径部２ｃの長さよりも高く形成されているため、係止突片３１ａの軟質の樹脂部材の弾性によって、基部２ａの先端部側端面２１ｃと先端部２ｂの基部側端面２２ｄに押圧されて当接する。
【００３４】
また、連結部材３の係止突片３１ａの穴部３１ｃが、首部２の小径部２ｃよりも小径であるため、こちらも係止突片３１ａの軟質の樹脂部材の弾性によって、小径部２ｃを押圧するように嵌め合わされて係止される。
これにより、連結部材３の係止突片３１ａは、首部２の基部２ａの先端部側端面２１ｃと先端部２ｂの基部側端面２２ｄとの間にしっかりと位置決め固定され、さらに、首連結部３ｂと連続して形成されている頭連結部３ａもまた、首部２の所定位置に位置決め固定される。
なお、連結部材３（頭連結部３ａと首連結部３ｂ）を軟質樹脂で成形する際には、例えば、ソフトビニールなどの軟質樹脂材料をスラッシュモールド成形することによって、図２及び図４に示すような中空の連結部材３を成形することができる。
【００３５】
（頭部の構成）
次に、頭部１および頭部１に形成される連結穴４について説明する。
頭部１は、例えば、本実施形態によれば、硬質材料により中実に形成されるとともに、首部２を連結する連結穴４を設けている。
具体的には、「ＡＢＳ樹脂（アクリロニトリル、ブタジエン、スチレン共重合合成樹脂）」や「ＰＬＡ樹脂（ポリ乳酸）」、あるいは金属などの材料を用いて、射出成形や切削などによる成形加工、あるいは３Ｄプリンタと前記材料を用いて、頭部１の３Ｄデータを立体的に造形出力することなどによって、最終的に硬質で中実な頭部１が成されることを想定している。
また、頭部１を形成する材料や成形方法はこれに限定されるものではなく、他の材料や方法によって成形されていても良い。例えば、木質の材料を鑿などで切削したり、石膏などの粉末を固めたりして成形される場合もある。
なお、頭部１の輪郭、例えば東洋系や西欧系などの頭のかたちや、顔面を構成する目鼻口などの形状や配置（いわゆる顔立ち）、頭髪やアクセサリーの有無などについては、需要に応じて適宜設定されれば良い。
また、頭部１は硬質材からなるものに限定解釈されるものではなく、軟質材からなるものであってもよく本発明の範囲内である。
【００３６】
連結穴４は、図２に示されるように、頭部１の下端側（図２で下側の首部を連結する側）に設けた穴開放口４１ａから頭部１の内方に設けられた穴底部４５にわたって連通した有底の中空状に形成されており、人形の首部２側に向けて開口して、前記首部の基部２ａが収容される基部収容部４１と、頭部１の内部において、基部収容部４１よりも大径に形成され、連結部材３の第１嵌合部３６が収容（係止）される第１の凹部４２と、基部収容部４１よりも小径に形成され、連結部材３の円筒面部３７が収容される円筒面部収容部４３と、円筒面部収容部４３よりも大径に形成され、連結部材３の第２嵌合部３８のフランジ部３８ｆが収容（係止）される第２の凹部４４と、連結部材３の突出端部３９が収容され、その突出端部３９の突出部３９ａが当接（押圧）する圧接壁部４４ｂとを備えて構成されている。図中、符号４５は連結穴４の穴底部を示す。
【００３７】
基部収容部４１、第１の凹部４２、円筒面部収容部４３、第２の凹部４４および圧接壁部４４ｂは、連結穴４の軸線（首部２の仮想軸線Ｘ１と同じ）を軸中心として同軸で穴底部４５（穴底４５ａ）方向に順列に連続して開口されている。
【００３８】
また、連結穴４は、連結部材３を介して頭部１を首部２に連結した際に、顔面が鉛直線Ｘ２に沿うように見た場合に、やや前方向に傾くように連結穴４の軸線（首部２の仮想軸線Ｘ１と同じ）が設定されている。この設定により、頭部１と首部２が連結状態にあるとき、頭部１が自重によって前方向に傾きがちになる現象に対応している。
すなわち、連結穴４の軸線（前記首部２の仮想軸線Ｘ１と同じ）が、前方向に傾けて設定されることにより、連結された頭部１は、相対的に後ろ方向に傾いた状態（顔面が上方を向いた状態）になるため、自重によって前方向に傾いた場合であっても、顔面がうつむかずに正面を向いた状態を維持することができる。
なお、連結穴４の軸線（前記首部２の仮想軸線Ｘ１と同じ）の傾き量や傾きの中心位置については、頭部１の設計を需要に合わせて調整するため、頭部１の設計ごとに、その重量や重心が変化するので、設計時の頭部１の重量や重心に応じ、最適な傾き量や傾きの中心位置となるように設定されるのが好ましい。
【００３９】
基部収容部４１は、頭部１の下端１ａで頭部１の外方に開放する円形の穴開放口４１ａ（開口）を有し、穴開放口４１ａから頭部１の内方に向けて所定の深さまで、同一径の円筒状に形成されている。
本実施形態によれば、基部収容部４１の穴径は、前記首部２の基部２ａの径よりも僅かに大径となるように設定されており、穴の深さは、連結穴４に首部２を連結した場合に、首部２の基部２ａが所定長さ収容されるものであれば本発明の範囲内であって特に限定はされない。
なお、本実施形態では、基部収容部４１の穴径を頭部１の下端１ａ（穴開放口４１ａ）から所定の深さまで、同一径に形成されるものとしたが、基部２ａが、基端側２１ａから先端側２１ｂの間で変化した径に形成されている場合には、基部収容部４１の穴径もまた、穴開放口４１ａから所定の深さまでの間で変化するように設定すれば良い。例えば、先細り形状であれば、その先細り形状よりも僅かに大径となるように設定されれば良く、先太り形状であれば、先太りの最も大きな径よりも僅かに大径となるように設定されれば良い。
なお、本実施形態では、基部収容部４１の穴径を基部２ａの径よりも僅かに大径に形成した実施の一形態を説明したが、基部収容部４１の穴径は、基部２ａが嵌合される程度の径をもって構成されるものであってもよく本発明の範囲内である。
【００４０】
第１の凹部４２は、基部収容部４１と連続し、基部収容部４１よりも連結穴４の内方側（図にて基部収容部４１の上側）にて、基部収容部４１の径よりも大径の円環状に形成されている。
本実施形態によれば、第１の凹部４２は、連結穴４の軸線（前記首部２の仮想軸線Ｘ１と同じ）に対して直交するように形成された穴開放口４１ａ側の第一壁面４２ａと、同様に、連結穴４の軸線（前記首部２の仮想軸線Ｘ１と同じ）に対して直交するように形成された穴底４５ａ側の第二壁面４２ｂと、連結穴４の軸線（前記首部２の仮想軸線Ｘ１と同じ）に対して平行に形成された第三壁面（外径面）４２ｃとで形成されている。
また、第１の凹部４２の穴径は、連結部材３の頭連結部３ａの第１嵌合部３６の外径（係止突条３６ｄ）と同径か、あるいは僅かに小径に設定され、第１の凹部４２の幅（仮想軸線Ｘ１方向の深さ）は、第１嵌合部３６の外径面３６ｃの幅よりも幅広に設定されている。
【００４１】
また、本実施形態では、第１の凹部４２の穴底４５ａ側の壁面４２ｂと、円筒面部収容部４３との間において、連結部材３の頭連結部３ａの円すい面部５０と同様の円錐状の連続部４６が形成されている。なお、連続部４６は、前記円すい面部５０よりも僅かに大径となるように形成され、連続部４６の円錐状の傾斜は、円すい面部５０の円錐状の傾斜と同様の角度となっている。
連続部４６は、首部２が頭部１の連結穴４に挿し込まれて連結される際に、連結部材３の頭連結部３ａの第２嵌合部３８の先端部側に配される第２の円すい面部３８ｃ（先細り形状の円錐状に傾斜）が当たることで、首部２の挿入方向を軸線（仮想軸線Ｘ１）に沿って案内する効果がある。
【００４２】
円筒面部収容部４３は、前記連続部４６の穴底４５ａ側（小径側）に連続して円筒状に形成されている。
円筒面部収容部４３の穴径は、連結部材３の頭連結部３ａの円筒面部３７よりも僅かに大径に形成され、円筒面部収容部４３の軸方向長さは、円筒面部３７の軸方向長さよりも僅かに短く形成されている。
【００４３】
第２の凹部４４は、前記円筒面部収容部４３の穴底４５ａ側に連続して形成され、首部２の軸（仮想軸線Ｘ１）に対して直交するように形成された穴開放口４１ａ側の壁面４４ａと、壁面４４ａの外径部（第２の凹部４４の外径）から穴底４５ａ側に向けて徐々に小径となる（先細り）形状の円錐状に傾斜して形成された穴底４５ａ側の傾斜壁面４４ｃとで、断面視三角形状の環状に構成されている。
また、第２の凹部４４の穴径は、連結部材３の頭連結部３ａの第２嵌合部３８のフランジ部３８ｆと同径か、あるいは僅かに小径に形成されている。
【００４４】
圧接壁部４４ｂ（壁面）は、第２の凹部４４の傾斜壁面４４ｃから穴底部４５方向に向けて連続して徐々に小径となるように円錐状に形成されている。
また、圧接壁部４４ｂの円錐状の傾斜は、第２嵌合部３８の先端部２ｂ側の第２の円すい面部３８ｃと同様の角度で形成されるとともに、第２嵌合部３８の先端部２ｂ側の第２の円すい面部３８ｃと同径か、あるいは僅かに小径に設定されている。
【００４５】
穴底部４５は、前記第２の凹部４４の穴底４５ａ側の圧接壁部４４ｂと連続して、前記首部２の先端部２ｂの先端２２ｃよりも奥側で球面状に閉塞する穴底４５ａを形成する。本実施形態では、先端部２ｂの先端２２ｃと穴底部４５との間に、連結部材３の頭連結部３ａの厚みと同様の隙間を有するように設定されている。
【００４６】
このように形成された頭部１の連結穴４に、首部２の軸（仮想軸線Ｘ１）に沿って首部２を挿し込んだ場合には、連結穴４の各部に対して、連結部材３の頭連結部３ａが次のように係止して、頭部１と首部２を連結固定する。
【００４７】
第１の係合として、頭連結部３ａの第１嵌合部３６の壁面３６ａ（係止突条３６ｄ）が、連結穴４の第１の凹部４２の第一壁面４２ａと対向するように嵌合され軟質の樹脂部材の弾性（上下方向の押圧に対する反発力）によって係止される。
第２の係合として、頭連結部３ａの第２嵌合部３８の水平壁面３８ａが、連結穴４の第２の凹部４４の穴開放口４１ａ側の壁面４４ａと対向するように嵌合され軟質の樹脂部材の弾性（上下方向の押圧に対する反発力）によって係止される。
さらに、第３の係合として、頭連結部３ａの突出端部３９の突出部３９ａが、連結穴４の圧接壁部４４ｂによって押圧され、その突出部３９ａの軟質の樹脂部材の弾性（上下方向の押圧に対する反発力）によって係止される。
【００４８】
このように３つの係止部分により、軟質樹脂で成形された頭連結部３ａの弾性によって、頭連結部３ａが連結穴４にぴったりと係止かつ押圧されるため、首部２が連結固定された後には、頭部１がガタつくことも無く、しっかりと固定される。
また、頭連結部３ａが軟質樹脂で成形されているため、頭部１と首部２との連結を解除する場合には、首部２の軸（仮想軸線Ｘ１）に沿って、首部２を頭部１の連結穴４から引き抜く方向に引っ張ることによって、前記２つの係止部分の頭連結部３ａの軟質樹脂が変形して係止が解かれる。
【００４９】
また、本実施形態では、小径部２ｃの延出部２３ａが、基部２ａの先端側２１ｂの先端部側端面２１ｃに設けられた挿通穴を通って、人形の胸部骨格（図示せず）に連結する構成としたが、小径部２ｃは、延出部２３ａを有さず、基部２ａの先端側２１ｂの先端部側端面２１ｃに直接固定されていても良い。その場合には、基部２ａを硬質樹脂で成形するとともに、基部２ａの周囲を人形の首部外皮で被覆する構成であっても良い。
【００５０】
なお、本実施形態では、連結部材３を首部２に固定した構成を説明したが、これに限定されず、連結部材３が首部２に固定されない構成であっても、頭部１と首部２との間に介在して係止可能であれば、本実施形態と同様の効果が得られる。例えば、連結部材３が頭部１の連結穴４に固定される場合や、頭部１と首部２との何れにも固定されない場合であっても良い。この場合であっても、頭部１と首部２を連結固定する際に、連結部材３が頭部１と首部２との間に挟み込まれていれば、頭部１と首部２との間に介在して係止可能となる。
また、本実施形態では、基部２ａと先端部２ｂと小径部２ｃとからなる首部２に、本発明による連結部材３を適用して、頭部１と首部２を連結固定状態とする一例を説明したが、首部２の構成はこれに限定されるものではなく、頭部１の連結穴４に首部２が挿し込まれた状態において、連結部材３が頭部１と首部２との間に介在して、頭部１と首部２を係止可能であれば、首部２は他の構成であっても良い。
【００５１】
「変形例１」
図示はしないが、例えば、基部２ａ側の壁面３６ａは、外径面３６ｃにかけて基部２ａ側に向けた傾斜（基部２ａ側に鋭角な傾斜）となるように形成され、第１の凹部４２の穴開放口４１ａ側の第一壁面４２ａが、第１嵌合部３６の基部２ａ側の壁面３６ａと同様な傾斜となるように形成されているものであってもよい。
【００５２】
この場合には、前記第１の係合において、頭連結部３ａ（連結部材３）の第１嵌合部３６の基部２ａ側の壁面３６ａと、連結穴４（頭部１）の第１の凹部４２の穴開放口４１ａ側の第一壁面４２ａとが噛み合うように係止されるため、首部２と頭部１がより強力に固定される。
また、先端部２ｂ側の壁面３６ｂは、外径面３６ｃにかけて基部２ａ側に向けた傾斜（先端部２ｂ側に向けたなだらかな傾斜）となるように形成されても良い。
この場合には、先端部２ｂ側の壁面３６ｂが傾斜して形成されることによって、第１嵌合部３６を連結穴４に挿し込んだ際の抵抗力を小さくする効果がある。
【００５３】
「変形例２」
また、図示はしないが、例えば、基部２ａ側の水平壁面３８ａは、外径部３８ｃにかけて基部２ａ側に向けた傾斜（基部２ａ側に鋭角）となるように形成され、第２の凹部４４の穴開放口４１ａ側の壁面４４ａが、第２嵌合部３８の基部２ａ側の水平壁面３８ａと同様な傾斜となるように形成されているものであってもよい。
この場合には、前記第２の係合において、頭連結部３ａ（連結部材３）の第２嵌合部３８の基部２ａ側の水平壁面３８ａと、連結穴４（頭部１）の第２の凹部４４の穴開放口４１ａ側の壁面４４ａとが噛み合うように係合係止されるため、首部２と頭部１がより強力に固定力さる。
【００５４】
「第二実施形態」
図６及び図７は、本発明の連結部材３における首連結部３ｂの他の実施の一形態を示す。なお、本実施形態ではその特徴部分の構成の説明に留め、連結部材３のその他の構成、首部２や頭部１の構成にあっては、第一実施形態と同様であるため、同一箇所に同一符号を付してその説明は省略する。
【００５５】
本実施形態における首連結部３ｂを構成している円板部３５０の内周側に、一体に連続して形成された平坦環状の係止突片３５１を備え、その係止突片３５１の内周には、小径部２ｃの外径よりも僅かに小径の穴部３５４が形成されており、この穴部３５４が小径部２ｃの外周面に圧接されている。
【００５６】
第一実施形態では、円板部３５と円筒面部３７との間を円すい面部５０で一体に連結しているが、本実施形態では、円板部３５０と円筒面部３７との間を、短尺の略円筒状に形成された延出部３１０で一体に連結されている。
延出部３１０は、円板部３５０の上面（先端部２ｂの基部側端面２２ｄと対向する面）から前記基部側端面２２ｄに向けて略円筒状に形成されるとともに、基部側端面２２ｄに当接した後に水平方向で外方に向けて延設されて円筒面部３７と一体に連結されている。
また、本実施形態では、延出部３１０の外周面が内方に向けて凹設されるとともに、対向する内周面が内方に向けて凸設され、断面視で略弓形状の周面をもって形成されている。
【００５７】
本実施形態では、上述のとおり、外周面が内方に向けて凹状に撓み、かつ内周面が内方に向けて凸状に突設された断面視で略弓形状の周面をもって延出部３１０が形成されているため、軟質の樹脂部材の弾性（上下方向の押圧に対する反発力）によって、基部２ａの先端部側端面２１ｃと先端部２ｂの基部側端面２２ｄに押し付けられるように当接し、かつ、円板部３５０の環状の係止突片（穴部）３５４が小径部２ｃよりも小径であるため、こちらも軟質の樹脂部材の弾性によって小径部２ｃを押さえつけるように嵌め合わされて、基部２ａの先端部側端面２１ｃと先端部２ｂの基部側端面２２ｄとの間にしっかりと位置決め固定される。
これにより、首連結部３ｂと連続して形成されている頭連結部３ａもまた位置決め固定される。
【産業上の利用可能性】
【００５８】
本発明による人形の頭部と首部との連結部材は、人形の首部に頭部を連結する場合に限らず、他の部材、例えば手足や尻尾あるいは鎧などの装備品などを連結する場合にも適用可能である。
【符号の説明】
【００５９】
１  頭部
１ａ  頭部の下端
２  首部
２ａ  基部
２１ｂ  先端側
２２ａ  胴部
２２ｂ  先細り部
２ｃ  小径部
３  連結部材
３ａ  頭連結部
３ｂ  首連結部
３１ｂ  係止突片
５０  円すい面部
３６  第１嵌合部
３６ｃ  係止突条
３７  円筒面部
３８  第２嵌合部
３８ａ（３８ｆ）  水平壁面（フランジ部）
３８ｂ（３８ｆ）  外径面部（フランジ部）
３８ｃ  第２の円すい面部
３９  突出端部
４  連結穴
４１  基部収容部
４１ａ  穴開放口
４２  第１の凹部
４３  円筒面部収容部
４４  第２の凹部
４４ｂ  圧接壁部
Ｌ  筒長さ方向
Ｘ１  軸線
【図１】
2018047141.tif 000003
【図２】
2018047141.tif 000004
【図３】
2018047141.tif 000005
【図４】
2018047141.tif 000006
【図５】
2018047141.tif 000007
【図６】
2018047141.tif 000008
【図７】
2018047141.tif 000009